(57)【要約】【課題】パラソル型のソーラークッカーにおける生地による集光部の反射率を高め、かつ、組立・分解が容易で運搬や保管の場所もとらないソーラークッカーを提供する。【解決手段】パラソル型のソーラークッカーにおける反射面をポリエステル生地にアルミを蒸着させたポリエステルフィルムを貼り合わせたものとし、前記ポリエステル生地を予め加熱して熱収縮させておき、ポリエステルフィルムとの貼り合わせの際の熱によって前記ポリエステル生地が収縮するのを防止した反射面としたもので、パラソルの中棒の先端に焦点プレートを装着し、かつ、前記スリット状の開放口の両側より所定位置で停止するストッパー機能を有するファスナーを備え、焦点プレート上に投影される中棒の先端の影が最も短くなる位置に前記パラソル型集光部を移動させ、この位置で、支持台の支柱を前記ファスナーにて挟み、当該ストッパー機能をもって所定の位置で固定するソーラークッカー。【選択図】図８
2010065864.tif 000002
【特許請求の範囲】
【請求項１】
基端が親骨ろくろに接続され、先端に露先環を介してバネ性のあるリング材を装着してなる親骨と、親骨の中間部に一端が接続され、基端が受骨ろくろに接続された受骨と、親骨ろくろと受骨ろくろを貫通する中棒と、親骨に跨がって張設された反射面と、よりなり、当該反射面がポリエステル生地にアルミを蒸着させたポリエステルフィルムを貼り合わせたものであり、前記ポリエステル生地を予め加熱して熱収縮させておき、ポリエステルフィルムとの貼り合わせの際の熱によって前記ポリエステル生地が収縮するのを防止した反射面であり、中棒に対して前記ろくろの一方がスライドして親骨が受骨ろくろ側に湾曲状に拡がるパラソル型集光部となし、隣り合う親骨間に張設された反射面にスリット状の開放口を形成し、これに当該集光部を支える支持台の支柱を挿通し、当該支柱の先端に集熱台を配置し、当該集熱台の端部を引き伸ばして親骨間に張設された反射面を貫通して回転可能に取り付け、前記受骨ろくろを貫く中棒の先端に焦点プレートを装着し、かつ、前記スリット状の開放口の両側より所定位置で停止するストッパー機能を有するファスナーを備え、焦点プレート上に投影される前記中棒の影が最も短くなる位置に前記パラソル型集光部を移動させ、この位置で、支持台の支柱を前記ファスナーにて挟み、当該ストッパー機能をもって所定の位置で固定することを特徴とするソーラークッカー。
【請求項２】
反射面の形状を放物球面形状とした請求項１記載のソーラークッカー。
【請求項３】
親骨の先端に露先環を装着し、露先環にリング材を挿入してなる請求項１又は２記載のソーラークッカー。
【請求項４】
放物球面の焦点に合わせて集熱台を設けた請求項１乃至３いずれか１記載のソーラークッカー。
【発明の詳細な説明】
【技術分野】
【０００１】
本発明は、反射面で集光した太陽光のエネルギー密度を上げ、熱エネルギーに変換して調理するソーラークッカー、ソーラーオーブン、ソーラーセルに関するものである。
【背景技術】
【０００２】
以下、本発明をソーラークッカーを代表例として説明するが、海や山等のアウトドアにおいて、調理する際の熱エネルギー源として、太陽光を集めてエネルギー変換して利用するソーラークッカーが提案されている。このソーラークッカーは自然環境の破壊もなく、熱の供給源も太陽が出ている限り無限であり、様々なソーラークッカーが提案されている（非特許文献１）。特許文献にあっても幾つかの提案がなされており、ここに代表的なものを例示する（特許文献１、２）。
【０００３】
【非特許文献１】ソーラークッカー（株式会社：パワ−社）
【０００４】
【特許文献１】特開２００３ー３２９３１０号公報
【０００５】
【特許文献２】特開２００１ー２３８７１２号公報
【０００６】
特許文献１にかかる技術は、内面を鏡面とした近似放物円錐形反射鏡を、縦横二軸まわりに回動・固定可能とし、太陽方向への照準合わせをしたもので、縦軸を兼ねた三脚は反射鏡を貫き、集光焦点を通る横軸を内側で支え、着脱可能としたものである。又、反射鏡は外周フレーム以外に骨組みを持たずに、必要充分な集光精度と強度を確保する軽量構造としたものである。
【０００７】
かかる技術として、太陽方向への反射板照準合わせと組立・分解が容易で、更に軽量構造により運搬性の良いソーラークッカーを提供するとしているが、実際に市販されている組立キットにあっては、組立完了までに３〜４時間かかり、分解時も同様である。従って、実際にはキャンプ地等で一度組み立てたら、そのままの状態で保管しておくしかなく、保管場所も必要であり、組立式とはいってもさほどメリットはない。
【０００８】
特許文献２にかかる技術は、傘の裏側に太陽エネルギーの反射効率の良い素材を用いて移動可能なソーラークッカーとして使用するもので、通常の折り畳み傘に取り付け可能な太陽エネルギーの反射用の裏地を作製し嵌め込むか、或いは太陽エネルギーを反射することができる材質をスプレー等を利用して折り畳み傘の裏面をコートするものである。そして、太陽エネルギーを柄の側の狭い領域に集中させ、調理を行うことができるように構成したパラソル型ソーラークッカーである。
【０００９】
実際には、反射用の裏地を作製して嵌め込んだものにあっては、反射面の表面に微細なしわが生じるため反射熱効率は悪くなり、水をある程度まで加熱する効果はあっても、食材を調理するソーラークッカーとしての役目は果たさない。
【００１０】
本特許出願人は、これらのソーラークッカーの構造を全面的に変更し、極めて簡便でかつ効率の良いソーラークッカーを既に提案しているが、本発明は更にその改良にかかるものである。
【発明の開示】
【発明が解決しようとする課題】
【００１１】
本発明は、いわゆるパラソル型のソーラークッカーに関するものであり、パラソルを開いて集光部が形成されるが、生地における反射面はつや消し状態となり、反射面にしわがあった。しかも傷がつきやすいため、安定した熱エネルギーの供給ができなくなる畏れがあり、その取り扱いは慎重に行わなければならず不便を来していた。
【００１２】
本発明は、これらの点に鑑みてなされたもので、安定して熱エネルギーが供給できるパラソル型ソーラークッカーに最適な集光部（太陽光の反射面）を提供するものであり、組立・分解が容易で運搬や保管の場所もとらないソーラークッカーを提供することを目的とするものである。そして、集光部を太陽に向かって極めて簡単に調節可能となし、しかもその調節後の固定が容易になされるという優れた改良をなしたものである。
【課題を解決するための手段】
【００１３】
本発明はパラソル型ソーラークッカーにかかるものであり、基端が親骨ろくろに接続され、先端に露先環を介してバネ性のあるリング材を装着してなる親骨と、親骨の中間部に一端が接続され、基端が受骨ろくろに接続された受骨と、親骨ろくろと受骨ろくろを貫通する中棒と、親骨に跨がって張設された反射面と、よりなり、当該反射面がポリエステル生地にアルミを蒸着させたポリエステルフィルムを貼り合わせたものであり、前記ポリエステル生地を予め加熱して熱収縮させておき、ポリエステルフィルムとの貼り合わせの際の熱によって前記ポリエステル生地が収縮するのを防止した反射面であり、中棒に対して前記ろくろの一方がスライドして親骨が受骨ろくろ側に湾曲状に拡がるパラソル型集光部となし、隣り合う親骨間に張設された反射面にスリット状の開放口を形成し、これに当該集光部を支える支持台の支柱を挿通し、当該支柱の先端に例えば調理台にて代表される集熱台を配置し、当該集熱台の端部を引き伸ばして親骨間に張設された反射面を貫通して回転可能に取り付け、前記受骨ろくろを貫く中棒の先端に焦点プレートを装着し、かつ、前記スリット状の開放口の両側より所定位置で停止するストッパー機能を有するファスナーを備え、焦点プレート上に投影される前記中棒の影が最も短くなる位置に前記パラソル型集光部を移動させ、この位置で、支持台の支柱を前記ファスナーにて挟み、当該ストッパー機能をもって所定の位置で固定することを特徴とするソーラークッカーである。
【発明の効果】
【００１４】
本発明は、熱エネルギー変換効率に優れた集光部及びこれを用いたパラソル型ソーラークッカーを提供するものであり、特に組立及び分解作業が極めて単純化・簡素化されたソーラークッカーあり、しかも、集光部を太陽に対して真正面で光を受ける機能を付加したものであり、野外における食材を調理するに最適なパラソル型ソーラークッカー、ソーラーオーブン、ソーラーセルを提供できたものである。
【発明を実施するための最良の形態】
【００１５】
本発明にて用いられる集光部は、太陽光の反射面の形状を好ましくは放物球面形状とし、特に、開閉（折り畳み可能）されるパラソル型の反射面としたものであり、基端が親骨ろくろに接続され、先端に露先環を介してバネ性のあるリング材を装着してなる親骨と、親骨の中間部に一端が接続され、基端が受骨ろくろに接続された受骨と、親骨ろくろと受骨ろくろを貫通する中棒と、親骨に跨がって張設された反射面と、よりなり、親骨の先端に露先環を装着し、露先環にリング材を挿入して拡がりを拘束すると共に、中棒に対して前記ろくろの一方がスライドして親骨が受骨ろくろ側に湾曲状に拡がる構造となし、反射面がポリエステル生地にアルミを蒸着させたポリエステルフィルムを貼り合わせたものであり、前記ポリエステル生地を予め加熱して熱収縮させておき、ポリエステルフィルムとの貼り合わせの際の熱によって前記ポリエステル生地が収縮するのを防止した集光部である。
【００１６】
特許文献２に記載されたように、パラソル型ソーラークッカーの基本は公知である。かかる文献によれば、太陽光の反射面として反射用の裏地或いは反射用の材質をスプレーしてなるものが挙げられているが、パラソルの開閉を行うことにより生地そのものが伸びたりしわがよったりしてソーラークッカーとしての太陽光を反射するに足りる平滑面が失われ、食材を調理するソーラークッカーとしては熱エネルギーが十分でないものとなってしまうが、本発明に用いられる集光部はこの欠点を改良したものである。
【００１７】
本発明の太陽光の反射面は、反射面の基盤となる生地を予めヒートセットして収縮させておき、これを用いて反射面を形成したものである。即ち、反射面に凹凸やしわの発生がなく、これによって反射効率の高い面を形成できたものである。尚、反射面の形状を放物球面形状に類似させることが肝心であり、これによってソーラークッカーとしての効率がより高められるものである。更に言えば、反射膜は汚れや破損した膜を簡単に交換できるというメリットもある。
【００１８】
かかる生地は１０〜２５０デニールの太さの繊維をもって構成されたものであり、反射率はヒートセットした場合にはほぼ倍増の結果となった。更に言えば、反射面を構成する生地としては、ＰＥ、ＰＰ、ＰＳ、ナイロン、レーヨン、ポリエステル等の織物又は不織布であって、予熱することによって熱収縮させたものである。そして、例えば、アルミ、銀、ステンレス等を蒸着させたポリエステル等の合成樹脂フィルムをこれに貼り付けることによって反射面が形成されることになる。
【００１９】
本発明の反射面を所期の通り開かせるには、親骨の先端に露先環を装着し、この露先環にリング材を挿通してなる構造とするのが好ましく、リング材はバネ性のある金属材料やプラスチック材料からなる線材である。
【００２０】
本発明のパラソル型ソーラークッカーは、上記した集光部を用いたものであり、パラソル型の集光部を構成する隣り合う親骨間に張設された反射面にスリット状の開放口を形成し、これに当該集光部を支える支持台の支柱を挿通し、当該支柱の先端に集熱台を配置し、当該集熱台の端部を引き伸ばして親骨間に張設された反射面を貫通し、回転可能に取り付けたもので、特徴的には、前記受骨ろくろを貫通する中棒の先端に焦点プレートを装着し、かつ、前記スリット状の開放口の両側より所定位置で停止するストッパー機能を有するファスナーを備え、焦点プレート上に投影される中棒の先端の影が最も短くなる位置に前記パラソル型集光部を移動させ、この位置で、支持台の支柱を前記ファスナーにて挟み、当該ストッパー機能をもって所定の位置で固定することによって構成されるものである。
【００２１】
このように、本発明のソーラークッカーは、中棒に対してろくろをスライドさせて反射した光をほぼ一点に収斂させ、その位置に集熱台を配置するものであり、好ましくは、親骨の開く度合いを制御するために親骨の先端に備えた露先環を介してバネ性のある金属製或いはプラスチック製の長尺材を装着し、これをリング状にしたもので、これによって親骨の開きが放物線形状に保つことができたものであり、反射光をほぼ一点に集中させることが可能となったものである。
【００２２】
更に、傘の中棒の角度と太陽の仰角の位置合わせがしやすいように、受骨ろくろを貫く中棒の先端に焦点プレートを装着し、このプレートに投影される中棒の先端の影が最も短くなる位置で集光面を太陽に正対させ、集光面に取り付けられたファスナーの開閉する引き手の位置をずらすことにより仰角を約３０度から８５度程度まで簡単に角度を変更できることとしたものである。そして、特にストッパー機能を有するファスナーを採用することにより、所定の位置（向き）にて集光面を固定することができることとなったもので、強風などによる角度のズレを防止することができたものである。
【００２３】
尚、焦点プレートに投影される影は、受骨ろくろを貫く中棒の先端の影であるのがよいが、場合によっては他の部材、例えば焦点プレートに備えられたポ−ル状のものでもよく、太陽の光に対して影を形成するものであれば特に限定はない。この焦点プレートは、受骨ろくろに常設してされるものでもなく、ソーラークッカーの組立の際に中傍の先端に嵌め込み、その位置を特定するだけで十分でもある。
【００２４】
一方、ファスナーには選択された位置に固定するためのストッパー機能を備えるものであり、この機能によって集光部から伸びる支柱を両側から挟み、反射面を太陽に対して正対させて固定することが可能となったものである。ストッパー機能はファスナー自体にキーを差し込むことによってストッパー機能を発揮するものでも、ファスナーの引き手にストッパー機能をもたらしたものでもよく、特に限定されるものではない。
【００２５】
支持台は通常三脚構造であり、その中央に支柱が配置されるのが一般的である。そして、この支柱は前記した反射面を貫通しており、そのスリット状の開口部には前記したストッパー機能を有するファスナーが備えられ、このファスナーの開閉・固定によりパラソルの位置が決まることになる。
【００２６】
勿論、前記したように反射面の焦点に最も光が集まるように太陽に向けて配置されることは当然である。そして、この光の最も集まる場所（放物球面の焦点）に合わせて集熱台を設けたものであり、かかる集熱台は前記した支柱に支持される部位と、集熱台の両端より伸び、反射面を貫通して回転自在に軸支される部位（アーム）とでその位置が決定される。通常はアームの軸支部には鳩目リングが嵌め込まれて補強されている。
【実施例】
【００２７】
以下、本発明のソーラークッカーを更に詳細に説明する。
図１は本発明のソーラークッカーの全体図を示すものであり、図２は集光部のみを取り出した図である。符号１０はパラソル型を構成する集光部、２０は支持台、３０は集熱台の一例としての調理台である。集光部１０は親骨１１と受骨１２と中棒１３とからなっており、親骨１１の基端が親骨ろくろ１４に接続しておりその先端に露先環１５が嵌め込まれている。
【００２８】
受骨１２は一端が親骨１１の中間部位に接続されており、基端が受骨ろくろ１６に接続されている。そして、親骨ろくろ１４と受骨ろくろ１６を貫通して中棒１３が貫通しており、この例では受骨ろくろ１６が中棒１３に固定され、親骨ろくろ１４がスライド可能に配置されている。この親骨ろくろ１４は中棒１３に備えられたバネストッパー１７によって所定の位置にて固定される。尚、この図例では受骨ろくろ１６が中棒１３に固定された例を示したが、親骨ろくろ１４が中棒１３に固定され、受骨ろくろ１６がスライドする構造であってもよい。ただし、後者の場合には中棒１３が光が集中する側に備えられることとなるので、調理台３０の設置と干渉する場合があり、図示した前者の形態が望ましいこととなる。
【００２９】
勿論、親骨１１間に渡って反射生地１８が張設され、親骨ろくろ１４をスライドしてパラソル型に開かれるものである。尚、露先環１５には例えばガラスファイバーを芯体としたポリエステル製のプラスチック長尺体１９が差し込まれ、これをリング形態とすることにより、親骨１１の湾曲が制御され、反射面１８に当たる太陽光の集中する焦点を好ましい部位に特定することが可能となったものである。
【００３０】
親骨１１間の反射生地１８にはパラソルの放射方向にスリット１８ａが開けられ、ここに後述する支持台２０の支柱が挿通するものである。このスリット１８ａには両端よりファスナー１８ｂが備えられている。又、親骨１１間の左右の対称な位置に穴１８ｃが開けられ、この部位に鳩目リング１８ｄが嵌め込まれている。この鳩目リング１８ｄ、１８ｄにはこれ又後述する調理台３０から伸びる左右のアーム３１の端部にボルト等を差し込んで調理台３０を支持するものである。
【００３１】
集光部１０の中心となる反射面は、好ましくは、ポリエステル生地に対しアルミを蒸着させたポリエステルフィルムを貼り合わせたものであり、前記ポリエステル生地を予め加熱して熱収縮させておき、ポリエステルフィルムとの貼り合わせの際の熱によって前記ポリエステル生地が収縮するのを防止した反射面である。かかる反射面は軽量でかつ表面が平滑の反射膜となったものであり、保管や運搬に便利であり、その組立は勿論、分解時にも手間をほとんど必要としない構造としたものである。
【００３２】
図３は、スリット１８ａ近傍の一例を示す図であり、スライダーにキーロックによるストッパー機構を備えた例である。即ち、スリット１８ａの両端よりファスナー１８ｂ、１８ｂ及びスライダー１８ｅが備えられており、スライダー１８ｅにはファスナー引き手１８ｂ１にてスライダー１８ｅを開閉する。そして、スライダー１８ｅにはキー１８ｇが差し込まれるキー穴１８ｈが開けられ、キー１８ｇにてこの部位が回転する構造となっている。この回転部分１８ｉは底部が斜面と平面の二面となっている。この回転部分１８ｉの底面に接触するロックピン１８ｊ付きのプレート１８ｋが内蔵され、更に、回転部分１８ｉの底面に対応してバネ１８ｍが内蔵されている。
【００３３】
かかる構造を有するため、キー１８ｇがキー穴１８ｈに差し込まれて回転することにより、回転部分１８ｉの底部における斜面がプレート１８ｋと接触する場合には、プレート１８ｋがバネ１８ｍによって上方に付勢される。このため、プレート１８ｋに備えたロックピン１８ｊは内側に入り込む。そして、回転部分１８ｉの平面がプレート１８ｋに接すると、プレート１８Ｋが下側におされ、ロックピン１８ｊが突出し、ファスナー１８ｂに接触してストッパー機能をもたらすものである。このため、支持台２０の支柱（２２）がスリット１８ａ内に差し込まれた際、所望の位置にてファスナー１８ｂ、１８ｂを両側より寄せて挟み、これを固定することにより、支柱２２と集光部１０とが相対的に動かない構造となる。
【００３４】
図４は、スリット１８ａ近傍の他の例を示す図であり、スリット１８ａの両端よりファスナー１８ｂ、１８ｂ及びスライダー１８ｅが備えられており、突起１８ｂ２（ストッパー機能）を有するファスナー引き手１８ｂ１にてスライダー１８ｅを開閉し、このファスナー引き手１８ｂ１を矢印側に倒すことによって突起１８ｂ２が穴１８ｆを通して食い込み、その移動が阻止される構造となっている。このため、図３と同様に、支持台２０の支柱（２２）がスリット１８ａ内に差し込まれた際、所望の位置にてファスナー１８ｂ、１８ｂを両側より寄せて挟み、これを固定することにより、支柱２２と集光部１０とが相対的に動かない構造となる。
【００３５】
図５は、円盤状の焦点プレート４１の一例を示す図であり、中央に受骨ろくろ１６を貫く中棒１３の先端１３ａと嵌合する穴部４３を形成したものである。ソーラークッカーを組み立てる際、前記の中棒１３の先端１３ａに対して焦点プレート４１の穴部４３を嵌め込むもので、太陽による中棒１３の先端１３ａの影４４を焦点プレート４１上に表し、この影４４が消える位置に集光部１０の向きを設定する。そして、この状態で支持台２０の支柱２２を図３或いは図４にて示すファスナー１８ｂ、１８ｂを両側より寄せて挟み、これを固定するものである。
【００３６】
図６は支持台２０のみを取り出した図である。この支持台２０は三脚部２１と支柱２２とからなっており、この支柱２２が前記したスリット１８ａに挿通されるものである。この支柱２２に対し、パラソル型集光部がスリット１８ａの長さ分だけその向きを変えることが可能となったものである。尚、この例では支柱２２は筒状となっており、この筒体に後述する調理台３０の支柱が差し込まれることとなる。
【００３７】
図７は調理台３０のみを取り出した図であり、この例では左右に伸びるアーム３１とこれに直角に伸び、この先端に支柱３２が形成されているもので、支柱３２が支持台２０の支柱２２に差し込まれ、かつアーム３１の先端を鳩目リング１８ｄに差し込んだり、当接したりして回転可能に支持したものである。この例ではアーム３１の先端にボルト（或いはナット：逆も可）を螺着した例である。勿論、図示した調理台に限定されるものではなく、アーム３１等は伸縮可能としておき、各種のパラソル型集光部に適用できるようにするべきであり、保管の際にもスペースを取らない等のメリットがある。３４はアングル材であり、ナット３５によってその位置をスライド・固定可能としたものである。３６はブラケットである。
【００３８】
このように調理台３０の取り付けは、水平方向はアーム３１を反射面１８の２点の鳩目リング１８ｄで補強した穴にボルトで装着し、垂直方向は反射面に形成されたスリット１８ａに取り付けられたファスナー１８ｂの開口に挿通された支持台２０の支柱２２に支柱３２を装着するものである。そして、太陽の位置を追跡するため水平方向は３６０度回転し、又、垂直方向の仰角は約３０度から８５度程度まで簡単に角度を変えられる構造である。尚、支持台２０の支柱２２と調理台３０の支柱３２とは、一方側が他方側に差し込まれて使用されるのが通例であるが、この差し込みは所望の位置で固定されるのが好ましいことはいうまでもない。従って、図例にあっては、支柱３２に穴を開け、この位置にナット３７を溶接し、このナット３７に対しボルト３８を螺合させてボルト３８の先端を差し込まれた支柱２２に圧接させて両者の関係を維持・固定する構造となっている。支柱３２が支柱２２内に差し込まれる場合には、支柱２２側にナットを溶接することとなる。
【００３９】
図８は本発明のソーラークッカーを示すもので、支持台２０を中心に述べれば、三脚部２１が地面に固定され、支柱２２が集光部１０のスリット１８ａに挿通されている。そして、集光部１０の向きを図５にて例示した焦点プレート４１を受骨ろくろ１６を貫く中棒１３の先端１３ａに装着し、これを利用してその向きを決定し、これに対して図３或いは図４にて例示したファスナー１８ｂを上下より締め、かつストッパー機能をもって支柱２２を固定する。そして、支柱２２の先端に調理台３０（一点鎖線で示す）の支柱３２を差し込み、かつアーム３１を鳩目リング１８ｄ、１８ｄに当接し、この先端を集光部１０の裏側よりボルト３３にて装着するものである。このアーム３１は鳩目リング１８ｄによって回転可能とされたもので、これによって調理台３０が常に水平位置を維持することになる。
【産業上の利用可能性】
【００４０】
ソーラークッカーとしての効果は、太陽の仰角６０度の時、１リットルの水（１６℃）が約３５分で沸騰した。そしてかかるソーラークッカーは保管時や運搬時のスぺースはそれほど広く必要ではなく、又、その組立・分解にも手間がかからないことからキャンプ等のアウトドアの活動に利用でき、そればかりではなく、その利便性の点から例えば地震災害等における緊急の場合の調理や熱源の確保、更には、ソーラーセル発電にも広く利用可能である。
【図面の簡単な説明】
【００４１】
【図１】図１は本発明のソーラークッカーの全体図を示すものである。
【図２】図２は集光部のみを取り出した図である。
【図３】図３はファスナーの一例を示す平面図及び側面図である。
【図４】図４はファスナーの他の例を示す平面図及び側面図である。
【図５】図５は焦点プレートの一例を示す図である。
【図６】図６は支持台のみを取り出した図である。
【図７】図７は調理台のみを取り出した図である。
【図８】図８はソーラークッカーの主要部の断面図である。
【符号の説明】
【００４２】
１０‥パラソル型集光部、
１１‥親骨、
１２‥受骨、
１３‥中棒、
１３ａ‥中棒の先端、
１４‥親骨ろくろ、
１５‥露先環、
１６‥受骨ろくろ、
１７‥バネストッパー、
１８‥反射生地（反射面）、
１９‥（ファイバー入り）プラスチック長尺体、
１８ａ‥スリット、
１８ｂ‥ファスナー、
１８ｂ１‥ファスナー引き手、
１８ｂ２‥引き手の突起（ストッパー機能）、
１８ｃ‥穴、
１８ｄ‥鳩目リング、
１８ｅ‥スライダー、
１８ｆ‥スライダーに開けられた穴、
１８ｇ‥キー、
１８ｈ‥キー穴、
１８ｉ‥回転部分、
１８ｊ‥ロックピン、
１８ｋ‥プレート、
１８ｍ‥バネ、
２０‥支持台、
２１‥三脚部、
２２‥支持台の支柱、
３０‥集熱台（調理台）、
３１‥アーム、
３２‥集熱台（調理台）の支柱、
３３‥ボルト、
３４‥アングル材、
３５‥ナット、
３６‥ブラケット、
３７‥ナット、
３８‥ボルト、
４１‥焦点プレート、
４３‥焦点プレートの穴部、
４４‥中棒先端の影。
【図１】
2010065864.tif 000003
【図２】
2010065864.tif 000004
【図３】
2010065864.tif 000005
【図４】
2010065864.tif 000006
【図５】
2010065864.tif 000007
【図６】
2010065864.tif 000008
【図７】
2010065864.tif 000009
【図８】
2010065864.tif 000010